(57)【要約】【課題】栓刃が回動してもトラッキングを検出することができる差込プラグを提供する。【解決手段】差込プラグ１は、栓刃７，７を突設した可動体６をプラグ本体５に回動自在に設け、可動体６の栓刃７，７間に検出孔８を形成し、検出孔８を介して外部に臨むようにトラッキングを検出するセンサ９を可動体６の内部に設ける。センサ９は検出孔８に連通する可動体６の嵌入穴１３に嵌入して取り付けられ、センサ９に回動自在に連結した接続片１０を可動体６の切欠溝１２に挿通させ、接続片１０をプラグ本体５の内部に延出して電子回路に接続する。センサ９と接続片１０の連結部である回動軸１１を可動体６の回動軸線上に配置することで、センサ９は可動体６の回動動作に連動する。【選択図】図５
2007234382.tif 000002
【特許請求の範囲】
【請求項１】
プラグ本体に栓刃を突設した可動体を回動自在に設けて成る差込プラグにおいて、前記可動体の栓刃間に検出孔を形成し、該検出孔を介して外部に臨むようにトラッキングを検出するセンサを前記可動体の内部に設け、前記センサを前記可動体の回動動作に連動するようにしたことを特徴とする差込プラグ。
【請求項２】
前記センサは導電材料により板状に形成されて一端部を前記可動体の検出孔に臨ませて配置し、前記センサの他端部に導電材料により板状に形成された接続片の一端部を回動自在に連結し、他端部を前記可動体から前記プラグ本体の内部に延出して配置し、前記センサと前記接続片の連結部となる回動軸を前記可動体の回動軸線上に配置して成ることを特徴とする請求項１に記載の差込プラグ。
【発明の詳細な説明】
【技術分野】
【０００１】
本発明は、コンセントに接続される栓刃を突設した可動体をプラグ本体に回動自在に設けて成る差込プラグに関する。
【背景技術】
【０００２】
プラグ本体に栓刃を突設した可動体を回動自在に設けて成る差込プラグにおいて、トラッキングを検出するセンサが設けたものはなかった（例えば、特許文献１参照。）。
【０００３】
【特許文献１】特開２００５−１００９６０号公報
【発明の開示】
【発明が解決しようとする課題】
【０００４】
このため、プラグ本体に栓刃を突設した可動体を回動自在に設けて成る差込プラグにおいては、トラッキングを検出することができなかった。
【課題を解決するための手段】
【０００５】
本発明は、請求項１に記載の発明によれば、プラグ本体に栓刃を突設した可動体を回動自在に設けて成る差込プラグにおいて、可動体の栓刃間に検出孔を形成し、検出孔を介して外部に臨むようにトラッキングを検出するセンサを可動体の内部に設け、センサを可動体の回動動作に連動するようにしたことを特徴とする。
【０００６】
請求項２に記載の発明によれば、請求項１に記載の差込プラグにおいて、センサは導電材料により板状に形成されて一端部を可動体の検出孔に臨ませて配置し、センサの他端部に導電材料により板状に形成された接続片の一端部を回動自在に連結し、他端部を可動体からプラグ本体の内部に延出して配置し、センサと接続片の連結部となる回動軸を可動体の回動軸線上に配置して成ることを特徴とする。
【発明の効果】
【０００７】
請求項１に記載の発明によれば、栓刃が回動してもトラッキングを検出することができるという効果がある。
【０００８】
請求項２に記載の発明によれば、請求項１又は請求項２に記載の発明の効果に加えて、センサを栓刃の回動に追従させて回動させることができるという効果がある。
【発明を実施するための最良の形態】
【０００９】
差込プラグは、栓刃を突設した可動体をプラグ本体に回動自在に設け、可動体の栓刃間に検出孔を形成し、検出孔を介して外部に臨むようにトラッキングを検出するセンサを可動体の内部に設ける。センサは検出孔に連通する可動体の嵌入穴に嵌入して取り付けられ、センサに回動自在に連結した接続片を可動体の切欠溝に挿通させ、接続片をプラグ本体の内部に延出して電子回路に接続する。センサと接続片の連結部である回動軸を可動体の回動軸線上に配置することで、センサは可動体の回動動作に連動する。
【実施例１】
【００１０】
本発明に係る差込プラグの実施例を図１〜図６の添付図面に基づいて説明する。
【００１１】
差込プラグ１は背面ケース２と中間ケース３と前面ケース４とで内部空間を２つに区画するようにしてプラグ本体５を構成し、プラグ本体５の上面略と背面の角部の略中央に可動体６が背面ケース２と中間ケース３の間に挟まれ軸支されてプラグ本体５の上面と背面間の９０度の範囲で回動可能に設けられ、可動体６の両端には１対の平型の栓刃７，７が突設されている。
【００１２】
可動体６は栓刃７，７間に極小の検出孔８が形成され、トラッキングを検出するためのセンサ９が検出孔８から外部に臨むように可動体６の内部に設けられる。センサ９は導電材料により板状に形成されて一端部を可動体６の検出孔８に臨ませて配置し、センサ９の他端部に導電材料により板状に形成された接続片１０の一端部を回動自在に連結し、他端部は可動体６からプラグ本体５の内部に延出している。可動体６は回動時に接続片１０に干渉しないように断面扇状に切欠溝１２が形成され、切欠溝１２の奥部から検出孔８に連通するようにセンサ９が嵌入する嵌入穴１３が形成されている。センサ９は切欠溝１２から挿入して嵌入穴１３に嵌入することで取り付けられ、このとき、センサ９と接続片１０の連結部となる回動軸１１が可動体６の回動軸線上に配置されて可動体６の回動動作に連動してセンサ９が回動するようになっている。また、接続片１０は可動体６から延出されてプラグ本体５の中間ケース３を貫通し、中間ケース３と前面ケース４の間に収納された電子回路基板１４の電子回路に電気的に接続されている。栓刃７，７間にトラッキングが発生すると検出孔８を介してセンサ９が検知し、電子回路に信号が入力されて電子回路の判定によりトラッキングであると判定されるとブザーを鳴動させたり、ＬＥＤ１５による表示を行って報知するようになっている。
【００１３】
また、プラグ本体５は左右側面及び底面の背面ケース２と中間ケース３が接合する部分の略中央に１対の差込孔１６，１６が夫々形成され、夫々の差込孔１６の内側には受刃１７が配置されて栓刃７と電気的に接続されている。差込孔１６，１６間には極小の検出孔１８が形成され、検出孔１８を介して外部に臨むようにトラッキングを検出するためのセンサ（図示せず)が埋め込まれ、センサは電子回路基板１４の電子回路に接続されている。受刃１７，１７間にトラッキングが発生すると栓刃７，７間でトラッキングを検出した場合と同様に検出孔１８を介してセンサが検知し、電子回路に信号が入力されて電子回路の判定によりトラッキングであると判定されるとブザーを鳴動させたり、ＬＥＤ１５による表示を行って報知するようになっている。差込プラグ１は前面ケース４と中間ケース３に順にネジ１９を挿通させて背面ケース２に螺着することにより固定されている。
【００１４】
尚、本実施例では、コンセントタップに適用した例を説明したが、電源コードの先端に設けられる電源プラグに適用することも可能である。また、差込プラグの形状及び構造について本発明の趣旨を逸脱しない範囲において適宜に変更して実施するが可能である。
【図面の簡単な説明】
【００１５】
【図１】本発明に係る差込プラグを示す正面図である。
【図２】本発明に係る差込プラグを示す平面図である。
【図３】本発明に係る差込プラグを示す左側面図である。
【図４】本発明に係る差込プラグを示す底面図である。
【図５】図１のＡ−Ａ線断面図であり、栓刃を上面側に回動させた状態を示す。
【図６】図１のＡ−Ａ線断面図であり、栓刃を背面側に回動させた状態を示す。
【符号の説明】
【００１６】
１    差込プラグ
５    プラグ本体
６    可動体
７    栓刃
８    検出孔
９    センサ
１０    接続片
１１    回動軸
１２    切欠溝
１３    嵌入穴
【図１】
2007234382.tif 000003
【図２】
2007234382.tif 000004
【図３】
2007234382.tif 000005
【図４】
2007234382.tif 000006
【図５】
2007234382.tif 000007
【図６】
2007234382.tif 000008